(57)【要約】【課題】  交通機関用パスとして使用しても、改札ゲートの受信部や機器自体に損傷を生じない非接触通信デバイスを提供する。【解決手段】  本発明の携帯可能な非接触通信デバイスは、携帯電話機能を有するか、ＳＩＭリーダライタ機能を有する通信デバイス内に、接触、非接触両用ＳＩＭを装着し、デバイス内に有するアンテナコイルを介して外部機器との間で交通運賃や取引の決済処理を可能にした非接触通信デバイスであって、ＳＩＭ内の取引データを表示する表示機能面を当該デバイスの一面に有し、当該表示機能面とは反対側のデバイス面の一部もしくは全面に、クッション性素材５ａ，５ｂ，５ｃを付与して外部機器受信部と接触した際の衝撃を緩和したことを特徴とする。非接触通信デバイスが携帯電話機の場合は、二つ折り型のものであってもよい。【選択図】    図３
2005204188.tif 000002
【特許請求の範囲】
【請求項１】
携帯電話機能を有する通信デバイス内に、接触、非接触両用ＳＩＭを装着し、デバイス内に有するアンテナコイルを介して外部機器との間で交通運賃や取引の決済処理を可能にした非接触通信デバイスであって、ＳＩＭ内の取引データを表示する表示機能面を当該デバイスの一面に有し、当該表示機能面とは反対側のデバイス面の一部もしくは全面に、クッション性素材を付与して外部機器受信部と接触した際の衝撃を緩和したことを特徴とする携帯可能な非接触通信デバイス。
【請求項２】
表示機能面を内側にして折り畳み可能にしたことを特徴とする請求項１記載の携帯可能な非接触通信デバイス。
【請求項３】
携帯電話機能を有する二つ折り型通信デバイス内に、接触、非接触両用ＳＩＭを装着し、デバイス内に有するアンテナコイルを介して外部機器との間で交通運賃や取引の決済処理を可能にした非接触通信デバイスであって、ＳＩＭ内の取引データを表示する主表示機能面を当該デバイスの二つ折にした際の内面側に有し、二つ折にした際の一の外面側に補助表示機能面を有し、二つ折にした際の当該補助表示機能面とは反対側のデバイス面の一部もしくは全面に、クッション性素材を付与して外部機器受信部と接触した際の衝撃を緩和したことを特徴とする携帯可能な非接触通信デバイス。
【請求項４】
補助表示機能面に、交通運賃や取引データが表示されることを特徴とする請求項３記載の携帯可能な非接触通信デバイス。
【請求項５】
ＳＩＭリーダライタ機能を有する通信デバイス内に、接触、非接触両用ＳＩＭを装着し、デバイス内に有するアンテナコイルを介して外部機器との間で交通運賃や取引の決済処理を可能にした非接触通信デバイスであって、ＳＩＭ内の取引データを表示する表示機能面を当該デバイスの一面に有し、当該表示機能面とは反対側のデバイス面の一部もしくは全面に、クッション性素材を付与して外部機器受信部と接触した際の衝撃を緩和したことを特徴とする携帯可能な非接触通信デバイス。
【請求項６】
クッション性素材は、ラバーであることを特徴とする請求項１、請求項３、請求項５のいずれか１の請求項に記載の携帯可能な非接触通信デバイス。
【請求項７】
クッション性素材は、ポリウレタン樹脂による皮膜であることを特徴とする請求項１、請求項３、請求項５のいずれか１の請求項に記載の携帯可能な非接触通信デバイス。
【請求項８】
表示機能面が液晶ディスプレイであることを特徴とする請求項１、請求項３、請求項５のいずれか１の請求項に記載の携帯可能な非接触通信デバイス。
【請求項９】
ＵＳＢコネクタを有し、パーソナルコンピュータ、ＵＳＢ機器との接続を可能にしたことを特徴とする請求項５記載の携帯可能な非接触通信デバイス。
【発明の詳細な説明】
【技術分野】
【０００１】
本発明は、携帯電話機、ＳＩＭリーダライタ等の携帯機器でありながら、交通機関用ゲートパスとしてあるいはプリペイドシステム決済用途として非接触ＩＣカード同様にして使用できる携帯機器に関するが、特に、交通機関用ゲートパスとして使用した場合に、ゲートと携帯機器の双方に損傷を与えない構造を考慮した非接触通信デバイスに関する。
【背景技術】
【０００２】
非接触通信によるよる交通機関用ゲートパスとして、「Ｓｕｉｃａ」（商標）方式のパスが、首都圏等で実用化されている。一方、携帯電話機は既に広範に使用されており、通勤者の大半以上が携帯して使用している。
この携帯電話機と通勤パスの双方を常時携帯することの不便さを解消するものとして、携帯電話機に、Ｓｕｉｃａ機能を持たせることが検討されており、乗車券または定期券代りに使用することの実験が開始される予定である。
【０００３】
Ｓｕｉｃａ機能を持たせた携帯電話機は、接触、非接触通信機能を有する小型のＩＣカードであるＳＩＭ（Ｓｕｂｓｃｒｉｂｅｒ  Ｉｄｅｎｔｉｔｙ  Ｍｏｄｕｌｅ）を着脱可能に内蔵するようにされている。そして、電話用のアンテナとは別に、非接触交信用のアンテナを携帯電話機内部に持っていることが必要になる。通常、ＳＩＭにはアンテナコイルを設けないか、設けてもＳＩＭ基体内の小さなアンテナだけでは、通信能力が不十分だからである。また、確実な非接触通信のためには、携帯電話機の厚みを薄くして機器の受信部との間隔を狭くすることも好ましいとされている。
【０００４】
さらに、問題となることは、従来の携帯電話機の函体は通常、ＡＢＳ樹脂等の成型物であり、ハードプラスチックである。一方、改札ゲートなどで非接触ＩＣカードを使用するには、いわゆる「タッチアンドゴー」方式といって、非接触通信によるデータの読み書きを完全にするために、ＩＣカード等のデバイスをゲート端末機のアンテナ部分に触れさせるように指導されている。ＩＣカードであれば、接触させても特段の問題はないが、携帯電話機のようなハードケースのデバイスでは、デバイス本体が傷付いたり、壊れたり、端末機側も同じような損傷が与えられる問題がある。
そこで、携帯機器と改札ゲート受信部が損傷を生じない対策が必要になる。
【０００５】
ところで、ＩＣカードはＩＳＯ１４４４３規格でその周波数帯は１３．５６ＭＨｚであって、コイルアンテナが使われており薄型化を達成している。この札入れサイズのＩＣカードをＩＣカード装着用スロットを設けた携帯電話機に使用する技術もあるが、携帯電話機が大型化したり機構が複雑化する問題がある。また、このものはＩＣカード自体の読み書きが目的であって外部装置との交信を目的とするものではない。
なお、携帯電話用の周波数帯は８００ＭＨｚ、１．５６ＧＨｚ、２ＧＨｚであり、携帯電話自体も非接触ＩＣカードのインフラには適合していない。
【０００６】
一方近年、携帯電話には小型のＵＩＭ、ＳＩＭやＵＳＩＭカードと呼ばれるセキュリティＩＤモジュールが組み込まれてきている。日本でも最新の携帯電話には組み込まれて既に実用化されている。ＵＩＭ（Ｕｓｅｒ  Ｉｄｅｎｔｉｔｙ  Ｍｏｄｕｌｅ）は携帯電話会社が発行する契約者情報を記録したＩＣカードであって、携帯電話機に組み込んで利用者の識別等に使用する。これは同様の機能をを持つＳＩＭから機能拡張が行われたもので、契約者情報以外に電話帳などのプライベート情報やクレジット決済用の個人識別情報などを暗号化して登録することが可能となっている。ＳＩＭをベースにしていることからＵＳＩＭ（Ｕｎｉｖｅｒｓａｌ  ＳＩＭ）と呼ばれることもある。
ＳＩＭはＧＳＭ携帯電話サービスの利用を目的とするが、ＵＩＭは、例えば、アメリカのｃｄｍａ２０００携帯電話機に差し込んで国際ローミングサービスを受けるといった使用方法が考えられている。
【０００７】
このＳＩＭやＵＩＭは、１５ｍｍ×２５ｍｍサイズの薄板状であって、携帯電話機を大型化する問題は生じない。冒頭記載の携帯電話機にＳｕｉｃａ機能を持たせることも、このＳＩＭやＵＩＭを利用するものである。
このように、ＳＩＭやＵＩＭは小型で便利であることから、携帯可能な専用アダプタやリーダライタを用いて各種の用途に用いることが研究され、提案されている。
ここで、携帯機器とＩＣカードを利用した取引システムについて調査すると、特許文献１、特許文献２、特許文献３、等が検出される。
特許文献１は、携帯端末を利用して、ＩＣカード用収納具内のＩＣカードを取引に使用することを提案している。しかし、当該技術によれば、携帯端末を持つこととＩＣカード用カード収納具の双方を所持することが必要になり操作が煩雑となる。
【０００８】
特許文献２は、「ＩＣカード代替機能を有する携帯機器」を提案している。このものは、非接触通信機能を有する携帯機器用モジュール（ＳＩＭあるいはＵＩＭ）を携帯機器に装着し、当該モジュールと携帯機器が有するアンテナコイルまたはアンテナコイルアダプタとを電磁的に結合させるか、または直接接触結合させて、非接触通信しようとするものである。本願の携帯可能な非接触通信デバイスの基本的形態の一になるものである。
【０００９】
特許文献３は、「液晶ディスプレイ付きＳＩＭリーダライタ」を提案している。このものは、ＵＳＢ用コネクタを有しているので、パーソナルコンピュータ（以下、「ＰＣ」とも表示する。）に接続して使用できるほか、接触、非接触両機能を有するＳＩＭを着脱可能に装着するので、リーダライタ本体が有するアンテナコイルを利用して、非接触の取引や交通パスにも使用できるものである。このものも、本願の携帯可能な非接触通信デバイスの基本的形態の一になるものである。
【００１０】
本願発明のように、携帯可能な非接触通信デバイスにクッション材料を用いることについては、特許文献４、特許文献５等に多少関連した記載がある。しかし、特許文献４は、「携帯電話用のケース」であって、携帯電話のグリップ感を良くするために、携帯電話の全体をクッション性のある発泡材料からなるケースで包むもので、本願とは目的および構成を異にする。特許文献５は、携帯電話機の操作部蓋体の閉動による本体ケースの傷付きを防止する目的で、キー部分にクッション部材を用いるものである。したがって、このものも本願と目的、構成を異にする。
【００１１】
【特許文献１】特開２００２−１５０３２６号公報
【特許文献２】特願２００２−２１０４７３号
【特許文献３】特願２００３−４６６５７号
【特許文献４】特開平８−１８６３７号公報
【特許文献５】特開平１１−２７５１９１号公報
【発明の開示】
【発明が解決しようとする課題】
【００１２】
そこで、本発明は、非接触通信デバイスと交通機関の改札ゲートにおける非接触通信読み取り部（受信部）とが接触または衝突しても、両者に損傷を与えることがない非接触通信デバイスの形態を研究して本発明の完成に至ったものである。
【課題を解決するための手段】
【００１３】
上記課題を解決するための本発明の要旨の１は、携帯電話機能を有する通信デバイス内に、接触、非接触両用ＳＩＭを装着し、デバイス内に有するアンテナコイルを介して外部機器との間で交通運賃や取引の決済処理を可能にした非接触通信デバイスであって、ＳＩＭ内の取引データを表示する表示機能面を当該デバイスの一面に有し、当該表示機能面とは反対側のデバイス面の一部もしくは全面に、クッション性素材を付与して外部機器受信部と接触した際の衝撃を緩和したことを特徴とする携帯可能な非接触通信デバイス、にある。
【００１４】
上記課題を解決するための本発明の要旨の２は、携帯電話機能を有する二つ折り型通信デバイス内に、接触、非接触両用ＳＩＭを装着し、デバイス内に有するアンテナコイルを介して外部機器との間で交通運賃や取引の決済処理を可能にした非接触通信デバイスであって、ＳＩＭ内の取引データを表示する主表示機能面を当該デバイスの二つ折にした際の内面側に有し、二つ折にした際の一の外面側に補助表示機能面を有し、二つ折にした際の当該補助表示機能面とは反対側のデバイス面の一部もしくは全面に、クッション性素材を付与して外部機器受信部と接触した際の衝撃を緩和したことを特徴とする携帯可能な非接触通信デバイス、にある。
【００１５】
上記課題を解決するための本発明の要旨の３は、ＳＩＭリーダライタ機能を有する通信デバイス内に、接触、非接触両用ＳＩＭを装着し、デバイス内に有するアンテナコイルを介して外部機器との間で交通運賃や取引の決済処理を可能にした非接触通信デバイスであって、ＳＩＭ内の取引データを表示する表示機能面を当該デバイスの一面に有し、当該表示機能面とは反対側のデバイス面の一部もしくは全面に、クッション性素材を付与して外部機器受信部と接触した際の衝撃を緩和したことを特徴とする携帯可能な非接触通信デバイス、にある。
【００１６】
上記において、クッション性素材をラバー、またはポリウレタン樹脂皮膜とすることができ、表示機能面を液晶ディスプレイとすることができる。また、請求項１の非接触通信デバイスの場合は、表示機能面を内側にして折り畳み可能にするものとし、請求項５記載の非接触通信デバイスの場合は、ＵＳＢコネクタを有し、パーソナルコンピュータ、ＵＳＢ機器との接続を可能にする、こともできる。
【発明の効果】
【００１７】
本発明の携帯可能な非接触通信デバイスは、外部機器と接触する函体もしくはケーシング面の一部もしくは全面にクッション性素材が付与されているので、外部機器と接触または衝突した際に、その衝撃を緩和することができる。したがって、非接触通信デバイスと外部読み取り機が接触する取り扱いをしても、非接触通信デバイス自体または外部機器の破損を防ぐことができる。
【発明を実施するための最良の形態】
【００１８】
以下、本発明の実施形態を図面を参照して説明することとする。
図１は、携帯可能な非接触通信デバイスの例であって、携帯電話型のものを示す図、図２は、非接触通信デバイスの他の例を示す図であって、二つ折り携帯電話型のものを示す図、図３は、図２の非接触通信デバイスを二つ折りした状態を示す図、図４は、非接触通信デバイスの他の例を示す図であって、ＳＩＭリーダライタ型のものを示す図、図５は、図１の非接触通信デバイスの表示機能面とは反対側面を示す図、図６は、図４の非接触通信デバイスの表示機能面とは反対側面を示す図、図７は、ＳＩＭの形状を示す図、図８は、改札ゲートで非接触通信デバイスを使用する状況を示す図、である。
【００１９】
本発明の携帯可能な非接触通信デバイスの例は、図１のように、通常の携帯電話機の形状をしている。非接触通信デバイス１Ａには、接触、非接触両用ＳＩＭ２が着脱可能に装着でき、ＳＩＭ２は、その非接触通信機能部が非接触通信デバイス１Ａが、函体１３内に有するアンテナコイル１１に接続するようにされている。
非接触通信デバイスの函体１３の片面は、表示機能面４になっていて、好ましくはカラー等の液晶ディスプレイ面にされている。表示機能面と同一平面には、キーパッドや動作選択ボタン等が配列していて、電源のオン−オフ、表示選択や動作決定、あるいは文字入力等が可能となっている。これらは、通常の携帯電話機の機能と同様のものである。
【００２０】
アンテナコイル１１は、図１のように非接触通信デバイスの函体１３の内部周囲に配線したり、ＳＩＭ２の装着部周囲に配線することができる。アンテナコイル１１の末端は、ＳＩＭ２の非接触通信端子Ａ１，Ａ２に接続して用いることができる。ＳＩＭ２の非接触通信端子との接続は、ＳＩＭ２の接触端子板２ｔのＲＦＵ端子であるＣ４，Ｃ８端子に接続するようしてもよい。当該アンテナコイル１１により、携帯電話の通常の無線通信とは異なる帯域１３．５６ＭＨｚによる近接非接触通信を行う。
この非接触通信により、運賃精算や取引決済処理を行うものである。清算額や決済額に基づいて、ＳＩＭ２内の制御用ＩＣチップがメモリの記録内容を変更する。
【００２１】
ロッドアンテナ１６は、無線電話に用いるアンテナであって、通常の携帯電話機が備えるものなので、ＳＩＭ２の非接触通信には使用されない。
以上の内容の概要は、前記の特許文献２にも記載されているところである。
非接触通信デバイス１Ａは、表示機能部とキーパッド部との間で、表示機能面４を内面にして、二つ折りにできるようにされていてもよい。請求項２記載の発明は、このような非接触通信デバイスを意味するものである。
【００２２】
図２は、非接触通信デバイスの他の例を示す図であって、二つ折り型携帯電話のものを示している。この例では、二つ折りした携帯電話機のキーパッドや動作選択ボタン等が配列した側の函体内に、アンテナコイル１１が設けられる。アンテナコイル１１の末端は、同様にＳＩＭ２の非接触通信端子Ａ１，Ａ２に接続して用いることができる。
非接触通信デバイス１Ｂには、接触、非接触両用ＳＩＭ２が着脱可能に装着でき、ＳＩＭ２は、その非接触通信機能部が非接触通信デバイス１Ｂが函体１３内に有するアンテナコイル１１に接続するようにされている。
【００２３】
図３は、二つ折り型非接触通信デバイスを折り畳んだ状態の例を示している。
二つ折り型携帯電話では、２つの表示機能面を有する場合があり、その場合には通常、キーパッドや動作選択ボタン等が配列している面を内面にして折り畳みし、その内側にサイズの大きな主表示機能面４ａを設け、折り畳んだ際に外面となり主表示機能面４ａの反対側になる面に、より小さなサイズの補助表示機能面４ｂを設けることが多い。カメラ用のレンズ６を有する場合も補助表示機能面４ｂがある側に設けられる。
その他の機能は、図１の非接触通信デバイス１Ａと同様、通常の携帯電話機の機能と同様のものである。
【００２４】
図４は、非接触通信デバイスの他の例を示す図であって、図４（Ａ）は上面斜視図、図４（Ｂ）は、図４（Ａ）のＡ−Ａ線断面図、図４（Ｃ）はＳＩＭ２を装着した状態の透視図、である。
本発明の携帯可能な非接触通信デバイス１の他の例は、図４（Ａ）のように、携帯型ＳＩＭリーダライタの形状をし、接触、非接触両用ＳＩＭ２が装着可能にされている。
非接触通信デバイス１Ｃは、液晶ディスプレイ４を備え、交通料金等を表示できるようにされている。ボタン１０は、電源のオン−オフ、表示選択や動作決定のためのものである。電源のオン状態を示すＬＥＤ表示１４を備えていてもよい。
さらに、非接触通信デバイス１Ｃは、ＵＳＢコネクタ２０を備えているのが好ましい。これにより、パーソナルコンピュータ（ＰＣ）やＵＳＢ機器との接続が可能になり、ＰＣに接続した場合は、ＳＩＭ２との間で本人認証を行い、情報セキュリティーに役立てることができるからである。
【００２５】
図４（Ｂ）のように、非接触通信デバイス１Ｃは、多くの場合、上蓋部１８と下側ケース部１９とからなり、その接合部にある挿入口１５からＳＩＭ２を挿入するようにされている。挿入口１５に接近して段部１６を設ければ、ＳＩＭ２の挿入に便利である。
ケーシングの内部には端子板１２があり、ＳＩＭ２はその下側で停止し接触端子板２ｔが、端子板１２のコンタクトピン（不図示）に接触するようにされている。
【００２６】
図４（Ｃ）のように、非接触通信デバイス１Ｃのケーシング内には、捲線等からなるアンテナコイル１１を有していて、その両端部が、Ｃ４，Ｃ８端子に接続するようにされている。ＳＩＭ２は、その非接触通信機能部が端子板１２のコンタクトピンを介してケーシング内に有するアンテナコイル１１に接続するようにされている。この場合も、ＳＩＭ２の接触端子板２ｔのＲＦＵ端子であるＣ４，Ｃ８端子に接続するようにすることができ、これにより外部機器との間で非接触通信を行う。
この非接触通信とは、ＩＣカードの通信帯域である１３．５６ＭＨｚを用いるもので、運賃精算や取引決済処理を行い、同様に清算額や決済額に基づいて、ＳＩＭ２内の制御用ＩＣチップがメモリの記録内容を変更する。
以上の内容の概要は、前記の特許文献３にも記載されているところである。
【００２７】
本発明の非接触通信デバイスの特徴は、図５、図６、または図３（Ｂ）のように、非接触通信デバイス１の表示機能面とは反対側の面に、クッション性素材５が付与されていることにある。クッション性素材は、表示機能面とは反対面に付与する。非接触通信デバイスを改札ゲート等にかざす場合には、表示面が目で見えるように、読み取り機側に接触させるのが普通だからである。
クッション性素材は、表示機能面の反対側の全面に付与するのが好ましいが、図５、図６のように部分的に設けてもよい。ただし、二つ折りしない場合であって部分的に設ける場合は上下両端部に最低２ケ所のクッション性素材５ａ，５ｂを端縁まで接近して設けることが好ましい。非接触通信デバイスを読み取り機側に接触させる場合は、上端または下端のいずれかが先に接触し、強い衝撃力を与え、また受けるからである。
【００２８】
二つ折りにした際の一の外面側に補助表示機能面を有する携帯電話機の場合は、二つ折りした際の液晶ディスプレイ等の補助表示機能面４ｂがある面とは反対側の面に、クッション性素材を付与する。補助表示機能面４ｂにも交通運賃や取引データを表示することができ、可視情報がある面を上面にして、ゲートの受信部８に非接触通信媒体１Ｂを接触させるのが通常だからである。部分的に設ける場合は、二つ折りした状態での上下両端部５ａ，５ｂの他、函体１３の平面部分に対して膨らんだ部分にもクッション性素材を付与するのが好ましい。図３（Ｂ）の場合は、ロッドアンテナ１６の付け根部分にもクッション性素材５ｃを付与している。
【００２９】
クッション性素材５は、多少のクッション性を備え、通常の繰り返し使用条件に耐えるものであれば特に材質は限定されない。好ましい材質の１として、スチレンブタジエンラバー（ＳＢＲ）を挙げることができる。この均一な厚みのシートの片面に、接着剤を付与したものを、非接触通信デバイスの函体またはケーシングに貼着することができる。
厚みは、厚いほど、衝撃を少なくできるが、手に持った感触からは、０．５〜５ｍｍ程度、好ましくは、０．８〜１．２ｍｍ程度の厚みが最適である。
【００３０】
他の材質としては、ポリウレタン樹脂を挙げることができる。このウレタン樹脂の皮膜を函体等の裏面全面に吹き付けした形態であって、厚みは、例えば０．２ｍｍ程度にすることができる。それ以上の厚みであってももちろん構わない。
携帯電話の函体は、前記のようにＡＢＳ樹脂の射出成型からなり、塗装がされていることが多い。携帯型ＳＩＭリーダライタの場合のケーシングは、ポリカーボネート樹脂やポリプロピレン樹脂、アクリル樹脂等の射出成型品からなることが多い。
【００３１】
なお、参考のためであるが、ＳＩＭの形状を図７に図示する。
図７のように、ＳＩＭ２は、長さＬ１が２５ｍｍ、幅Ｌ２が１５ｍｍ程度の形状にされ、厚みは１．０ｍｍ以内の均一な薄板状のものである。切り欠き２３は装着した際の位置合わせのためである。外観は、一般的なＳＩＭと異なるものでなく、表面に接触端子板２ｔを有し、接触端子板の背面にはモジュール化されたＩＣチップが装着されている。
ＩＣチップは少なくとも非接触通信機能を有していて、非接触・接触両用機能を有するものが好適に使用できる。ＳＩＭ２自体がアンテナコイルを有していてもよい。端子板の端子配置や大きさは一般のＩＣカード規格およびＧＳＭ（Ｇｌｏｖａｌ  Ｓｙｓｔｅｍ  ｆｏｒ  Ｍｏｂｉｌｅ  Ｃｏｍｍｕｎｉｃａｔｉｏｎｓ）に準じたものである。
【００３２】
ＳＩＭ２の接触端子板２ｔ表面は、通常ＩＳＯ７８１６規格に準拠した端子機能になっていて、図７のようにＣ１〜Ｃ８の８端子を持っている。
Ｃ１はＶｃｃ、Ｃ２はＲＳＴ、Ｃ３はＣＬＫ、Ｃ５はＧＮＤ、Ｃ６はＶｐｐ、Ｃ７はＩ／Ｏ用、である。Ｃ４，Ｃ８端子は、ＲＦＵ（リザーブ) 端子となっているが、アンテナコイルを当該端子を利用してＳＩＭ内のＩＣチップに接続することができる。Ｖｐｐ（可変供給電圧）も実際には使用していない。
【００３３】
図８は、改札ゲートで非接触通信デバイスを使用する状況を示す図である。
ＩＣカード代替機能を有する非接触通信デバイス１を、交通機関の改札ゲート７の受信部８に、矢印Ｙのように接触させると改札ゲートの受信部８が非接触通信デバイス１の電波を受信して扉９の開閉が行われることになる。
受信部８の表面は、硬質プラスチック板面であるが、多数の人が通過するゲートでは接触による損傷が多くなる。従って、当該受信部８面にもクッション性素材を付与するのが好ましい。
企業内のドアゲート、施設の入場口等の場合も同様の使い方が可能である。
【図面の簡単な説明】
【００３４】
【図１】携帯可能な非接触通信デバイスの例であって、携帯電話型のものを示す図である。
【図２】非接触通信デバイスの他の例を示す図であって、二つ折り携帯電話型のものを示す図である。
【図３】二つ折り型非接触通信デバイスを折り畳んだ状態の例を示している。
【図４】非接触通信デバイスの他の例を示す図であって、ＳＩＭリーダライタ型のものを示す図である。
【図５】図１の非接触通信デバイスの表示機能面とは反対側面を示す図である。
【図６】図４の非接触通信デバイスの表示機能面とは反対側面を示す図である。
【図７】ＳＩＭの形状を示す図である。
【図８】改札ゲートで非接触通信デバイスを使用する状況を示す図である。
【符号の説明】
【００３５】
１，１Ａ，１Ｂ，１Ｃ    非接触通信デバイス
２    ＳＩＭ
４    表示機能面、液晶ディスプレイ
４ａ  主表示機能面
４ｂ  補助表示機能面
５，５ａ，５ｂ，５ｃ    クッション性素材
６    レンズ
７    改札ゲート
８    受信部
９    扉
１０    ボタン
１１    アンテナコイル
１２    端子板
１３    函体
１４    ＬＥＤ表示
１５    挿入口
１６    ロッドアンテナ
１８    上蓋部
１９    下側ケース部
２０    ＵＳＢコネクタ
２３    切り欠き
【図１】
2005204188.tif 000003
【図２】
2005204188.tif 000004
【図３】
2005204188.tif 000005
【図４】
2005204188.tif 000006
【図５】
2005204188.tif 000007
【図６】
2005204188.tif 000008
【図７】
2005204188.tif 000009
【図８】
2005204188.tif 000010